(57)【要約】【課題】操作レバーを付勢するバネ部材をへたり難くすることができるトリガー式液体噴出器を提供する。【解決手段】本発明のトリガー式液体噴出器は、容器Ａに装着される噴出器本体２と、噴出器本体２に対して前後方向に揺動可能に保持される操作レバー４と、操作レバー４を前方に向けて付勢するバネ部材５とを備え、バネ部材５は、操作レバー４の揺動中心Ｃよりも前方に位置し噴出器本体２に固定保持される固定部５ｄと、固定部５ｄよりも下方に位置する突起５ｅを有し、操作レバー４は、下方から上方に向かって後方から前方に向けて傾斜し、突起５ｅの当接によって付勢される傾斜面４ｅを有する。【選択図】図１
2019081159.tif 000002
【特許請求の範囲】
【請求項１】
容器に装着される噴出器本体と、該噴出器本体に対して前後方向に揺動可能に保持される操作レバーと、該操作レバーを前方に向けて付勢するバネ部材とを備え、該操作レバーを前後方向に揺動させることにより該噴出器本体に設けたポンプを駆動させて該容器に収容した内容液を吸引、加圧、圧送して外界に噴出させるトリガー式液体噴出器であって、
前記バネ部材は、前記操作レバーの揺動中心よりも前方に位置し前記噴出器本体に固定保持される固定部と、前記固定部よりも下方に位置する突起を有し、
前記操作レバーは、下方から上方に向かって後方から前方に向けて傾斜し、前記突起の当接によって付勢される傾斜面を有するトリガー式液体噴出器。
【請求項２】
前記傾斜面は、前記突起から離れる向きに湾曲する湾曲傾斜面である請求項１に記載のトリガー式液体噴出器。
【発明の詳細な説明】
【技術分野】
【０００１】
本発明は、内容液を収容した容器に装着され、前後方向に操作レバーを揺動させることによって内容液を噴出させるトリガー式液体噴出器に関するものである。
【背景技術】
【０００２】
黴取り剤や洗剤、芳香剤、忌避剤、農薬、薬品等の内容液を入れた容器においては、容器の口部に装着され、前後方向に操作レバーを揺動させることによって噴出器本体に設けたポンプを駆動して容器内の液体を直線状、霧状あるいは泡状にして噴射させるトリガー式液体噴出器が多用されており（例えば特許文献１参照）、内容液の効率的な供給を可能にしている。
【０００３】
図３に示すように従来のトリガー式液体噴出器１００は、容器１０１に装着される噴出器本体１０２と、噴出器本体１０２に対して前後方向に揺動可能に保持される操作レバー１０３と、操作レバー１０３を前方に向けて付勢するバネ部材１０４を備えている。ここで、バネ部材１０４の下方には突起（バネ側突起１０５）が設けられ、操作レバー１０３にはバネ側突起１０５の前方に位置する突起（レバー側突起１０６）が設けられていて、操作レバー１０３を後方に向けて揺動すると、レバー側突起１０６の後方端部がバネ側突起１０５の前方壁を押圧してバネ部材１０４を弾性変形させ、これによって生じる弾性力でもって操作レバー１０３を前方に向けて付勢するようにしている。
【先行技術文献】
【特許文献】
【０００４】
【特許文献１】特開２０１７−１７０２８１号公報
【発明の概要】
【発明が解決しようとする課題】
【０００５】
ところで、操作レバー１０３を前後に揺動させる際、バネ側突起１０５はレバー側突起１０６によって前後方向の移動が拘束されているため、バネ側突起１０５は、レバー側突起１０６に合わせて前後方向に動くことになる。このため、内容液を比較的多量に噴出させる場合のように、操作レバー１０３が前後方向に揺動する範囲を広げようとすると、それに伴いバネ側突起１０５も前後方向に大きく移動することになるため、バネ部材１０４の変形量が増大して、バネ部材１０４がへたり易くなっていた。
【０００６】
本発明はこのような問題点を解決することを課題とするものであり、従来よりもバネ部材がへたり難くなるトリガー式液体噴出器を提供することを目的とする。
【課題を解決するための手段】
【０００７】
本発明は、容器に装着される噴出器本体と、該噴出器本体に対して前後方向に揺動可能に保持される操作レバーと、該操作レバーを前方に向けて付勢するバネ部材とを備え、該操作レバーを前後方向に揺動させることにより該噴出器本体に設けたポンプを駆動させて該容器に収容した内容液を吸引、加圧、圧送して外界に噴出させるトリガー式液体噴出器であって、
前記バネ部材は、前記操作レバーの揺動中心よりも前方に位置し前記噴出器本体に固定保持される固定部と、前記固定部よりも下方に位置する突起を有し、
前記操作レバーは、下方から上方に向かって後方から前方に向けて傾斜し、前記突起の当接によって付勢される傾斜面を有するトリガー式液体噴出器である。
【０００８】
前記傾斜面は、前記突起から離れる向きに湾曲する湾曲傾斜面であることが好ましい。
【発明の効果】
【０００９】
本発明におけるトリガー式液体噴出器では、バネ部材に設けた突起が操作レバーに設けた傾斜面に当接することによって、バネ部材の付勢力が操作レバーに作用するように構成している。そして操作レバーを揺動させる際、傾斜面に当接した突起は、傾斜面とともに後方へ動きつつ傾斜面に対して相対的に前進するように移動するため、従来よりも前後方向の移動量が少なくなってバネ部材の変形量を小さくすることができる。従って、従来のトリガー式液体噴出器よりもバネ部材がへたり難くなる。
【図面の簡単な説明】
【００１０】
【図１】本発明に従うトリガー式液体噴出器の一実施形態につき、操作レバーとバネ部材との関係を示した図である。
【図２】図１における操作レバーにつき、（ａ）は（ｃ）に示すＢ−Ｂに沿う部分断面図であり、（ｂ）は側面図であり、（ｃ）は背面図である。
【図３】従来のトリガー式液体噴出器において、操作レバーとバネ部材との関係を示した図である。
【発明を実施するための形態】
【００１１】
以下、図１を参照しながら本発明に従うトリガー式液体噴出器の一実施形態について説明する。なお、本明細書等において「上方」とは、図１において符号２１で示す装着キャップに対して符号２４で示すカバー部が位置する側であり、「下方」とはその逆側である。また「前方」とは、符号２２ａで示す縦筒部に対して符号３で示すノズルが位置する側（図１の左側）であり、「後方」とはその逆側（図１の右側）である。また「側方」とは、前方から後方に向かって視る際の左右方向（図１における紙面に垂直な方向）である。
【００１２】
図１に示す符号１は、本発明に従うトリガー式液体噴出器の一実施形態を示している。トリガー式液体噴出器１は、概略、噴出器本体２と、ノズル３と、操作レバー４と、バネ部材５と、シュラウド６とを備えている。
【００１３】
噴出器本体２は、容器Ａの口部にトリガー式液体噴出器１を固定保持する装着キャップ２１を備えている。図示は省略するが、容器Ａの口部における外周面には雄ねじ部が設けられ、装着キャップ２１の内周面には雌ねじ部が設けられている。そして、口部に対して装着キャップ２１を回転し、雄ねじ部に対して雌ねじ部をねじ込むことによって、噴出器本体２は容器Ａに固定保持される。なお、噴出器本体２を容器Ａに固定保持するには、アンダーカット等の他の手段を採用してもよい。
【００１４】
また噴出器本体２は、容器Ａに収容した内容液を通す内部通路を備える通路部２２を備えている。通路部２２は、下方から上方に向けて延在する縦筒部２２ａと、縦筒部２２ａの上端から前方に向けて延在する横筒部２２ｂとを備えていて、縦筒部２２ａの上下方向中間部には、前方を開放した筒状部２２ｃが設けられている。また筒状部２２ｃの内側には、シリンダー２２ｄが嵌合保持されている。
【００１５】
シリンダー２２ｄの内側には、シリンダー２２ｄの内周面に対して気密且つ液密に摺動するピストン部材２３が設けられている。シリンダー２２ｄとピストン部材２３は、容器Ａに収容した内容液を通路部２２の内部通路に導入し、更に外界へ噴出させるポンプとして機能するものであって、ピストン部材２３を前後方向に移動させることによって、内容液を吸引、加圧、圧送することができる。ここで、ピストン部材２３の前方端部には、操作レバー４と連結する連結凹部２３ａが設けられている。
【００１６】
また噴出器本体２は、横筒部２２ｂの上方に位置するカバー部２４を備えている。カバー部２４の両側方には、後方を開放させたＣ字状の軸受け部２４ａが設けられている。
【００１７】
カバー部２４の前方には、横筒部２２ｂに取り付けられるノズル３が設けられている。なお、図示は省略するが、ノズル３の前方端部には、通路部２２の内部通路を通った内容液を噴出させる噴出口と、噴出口の前面に設けられる衝突板が設けられている。衝突板は、噴出口からの内容液を衝突させて内容液の噴出形態を変化させるものであり、形状を適宜選択することによって、内容液を霧状や泡状にして外界に噴出させることができる。なお、噴出板は任意に設けられるものであって、噴出口から直接内容液を噴出させてもよい。またノズル３は、横筒部２２ｂに対して回転可能に設けられていて、回転角度に応じて噴出口を開閉することが可能である。
【００１８】
そしてカバー部２４の軸受け部２４ａには、操作レバー４が取り付けられている。操作レバー４は、操作する際に指を掛ける部位となるレバー本体部４ａを備えている。また、図２に示すようにレバー本体部４ａの上部には、円柱状をなすとともに側方外側に向かって突出する一対の軸部４ｂが設けられている。軸部４ｂは、図１に示すように軸受け部２４ａに支持されるものであって、操作レバー４は、軸部４ｂの中心（揺動中心Ｃ）周りに前後方向に揺動することができる。そしてレバー本体部４ａの後部には、ピストン部材２３の連結凹部２３ａに挿入される連結軸部４ｃが一対設けられている。
【００１９】
操作レバー４の上下方向中間部には、図２に示すように後方に向けて開口する凹部４ｄが設けられている。そして凹部４ｄの内側には、下方から上方に向かって後方から前方に傾く傾斜面４ｅが設けられている。本実施形態の傾斜面４ｅは、後述するバネ部材５の突起５ｅから離れる向き（軸部４ｂから離れる向き）に湾曲する湾曲傾斜面として設けられている。なお、図２（ｃ）に示すように、凹部４ｄ及び傾斜面４ｅは、操作レバー４に一対設けられている。
【００２０】
またカバー部２４は、軸受け部２４ａの前方において、側方両側に設けられる一対のバネ部材５を備えている。バネ部材５は、小径の内側湾曲片５ａと大径の外側湾曲片５ｂとを備えていて、内側湾曲片５ａと外側湾曲片５ｂは、下側湾曲部５ｃと上側湾曲部５ｄによって連結している。なお、本実施形態のバネ部材５は、上側湾曲部５ｄがカバー部２４に一体に連結していて、上側湾曲部５ｄが固定部となってカバー部２４に対して固定保持されている。また外側湾曲片５ｂの下部には、外側に向かって突出して凹部４ｄの内側に入り込み、傾斜面４ｅに対して先端が当接する突起５ｅが設けられている。
【００２１】
シュラウド６は、噴出器本体２の大部分、及び操作レバー４とバネ部材５の上部を覆い隠すものである。本実施形態のシュラウド６は、噴出器本体２に対して後方から前方に向けてスライドさせるようにして噴出器本体２に嵌合保持される。
【００２２】
このような形態になるトリガー式液体噴出器１は、レバー本体部４ａに指をかけて後方へ向けて力を加えると、操作レバー４は揺動中心Ｃ周りに後方へ向けて揺動し、連結凹部２３ａに挿入された連結軸部４ｃによってピストン部材２３が後方へ移動する。このとき傾斜面４ｅに当接する突起５ｅは、図１に破線で示すように後方へ移動し、これによりバネ部材５は、内側湾曲片５ａと外側湾曲片５ｂが撓むように弾性変形する。一方、レバー本体部４ａへの力の付与を解除すると、弾性変形していたバネ部材５が復元し、その際の復元力が突起５ｅを介して傾斜面４ｅに作用するため、操作レバー４は、揺動中心Ｃ周りに前方へ向けて揺動してピストン部材２３が前方へ移動する。このように、レバー本体部４ａへの力の付与と解除とを繰り返すことによって、ピストン部材２３が前後方向に移動してポンプを駆動させることができるため、容器Ａに収容した内容液をノズル３の噴出口から噴出させることができる。
【００２３】
ところで図３に示すように従来のトリガー式液体噴出器１００では、操作レバー１０３を前後方向に揺動させる際、レバー側突起１０６の後方端部はバネ側突起１０５の前方壁に当接していて、バネ側突起１０５は、レバー側突起１０６とともに前後方向へ移動する。ここで、操作レバー１０３を揺動させた際の前後方向移動量をＬ１とし、その時のバネ側突起１０５の前後方向移動量をＬ３とする。
【００２４】
これに対して図１に示すトリガー式液体噴出器１では、操作レバー４を前後方向に揺動させると、傾斜面４ｅに当接した突起５ｅは、傾斜面４ｅとともに後方へ動きつつ傾斜面４ｅに対して相対的に前進するように移動する。すなわち、図３に示すトリガー式液体噴出器１００と同様に、前後方向移動量がＬ１となるように操作レバー４を揺動させても、突起５ｅの前後方向移動量Ｌ２は、図３に示したバネ側突起１０５の前後方向移動量Ｌ３よりも小さくなる。よって本発明に従うトリガー式液体噴出器１では、従来のトリガー式液体噴出器１００よりもバネ部材５をへたり難くすることができる。また、バネ部材５の変形量が小さくなるため、操作レバー４を後方へ向けて揺動させる際の力も少なくて済む。
【００２５】
以上、本発明に従うトリガー式液体噴出器について具体的な実施形態を示しながら説明したが、本発明に従うトリガー式液体噴出器は、上述した実施形態に限られるものではなく、特許請求の範囲に従う範疇で種々の変更を加えたものも含まれる。例えば傾斜面４ｅは、本実施形態では突起５ｅから離れる向きに湾曲する湾曲傾斜面として説明したが、例えば突起５ｅに近づく向きに湾曲するものでもよいし、これらを組み合わせてＳ字状に湾曲するものでもよい。また湾曲させずにストレートの傾斜面であってもよい。更に、噴出器本体２に設けた内容液の通る内部通路やポンプの構造も、上述した実施形態に限定されず、他の構造を用いることができる。
【符号の説明】
【００２６】
１：トリガー式液体噴出器
２：噴出器本体
３：ノズル
４：操作レバー
４ａ：レバー本体部
４ｂ：軸部
４ｃ：連結軸部
４ｄ：凹部
４ｅ：傾斜面
５：バネ部材
５ａ：内側湾曲片
５ｂ：外側湾曲片
５ｃ：下側湾曲部
５ｄ：上側湾曲部（固定部）
５ｅ：突起
２１：装着キャップ
２２：通路部
２２ａ：縦筒部
２２ｂ：横筒部
２２ｃ：筒状部
２３：ピストン部材
２３ａ：連結凹部
２４：カバー部
２４ａ：軸受け部
Ａ：容器
Ｃ：揺動中心
【図１】
2019081159.tif 000003
【図２】
2019081159.tif 000004
【図３】
2019081159.tif 000005